(57)【要約】      （修正有）【課題】水槽の状態に応じて給水量を変化できるようにした釣り具用魚介保存水漕の提供。【解決手段】釣り用魚介保存水槽として、水槽と、この水槽と釣りをする水中との間を連結する給水管と、前記給水管から水を水槽へとくみ上げる、電力により作動する給水ポンプと、前記給水ポンプの動作を制御する制御装置とを設け、前記制御装置を、給水ポンプに関し２以上の駆動時間パタンの選択が可能に構成し、選択された駆動時間パタンに応じて前記給水ポンプを駆動させるようにする。【選択図】図１
0003111519.tif 000002
【実用新案登録請求の範囲】
【請求項１】
水槽と、
前記水槽と、釣りをする水中との間を連結する給水管と、
前記給水管から水を水槽へとくみ上げる、電力により作動する給水ポンプと、
前記給水ポンプの動作を制御する制御装置とを有し、
前記制御装置は、給水ポンプに関し２以上の駆動時間パタンの選択が可能に構成され、選択された駆動時間パタンに応じて前記給水ポンプを駆動させる
釣り用魚介保存水槽。
【請求項２】
前記釣り用魚介保存水槽において、さらに、前記水槽から水面へ水を排水する排水管を有する請求項１に記載の釣り用魚介保存水槽。
【請求項３】
前記釣り用魚介保存水槽において、さらに、
前記水槽と大気中とを連結する空気供給管と、
前記空気供給管に空気を送り込むエアポンプと  
を有する請求項１又は２に記載の釣り用魚介保存水槽。
【請求項４】
任意の水槽に対して外部の水を供給する釣り用魚介保存水槽用アダプターであって、
任意の水槽と、釣りをする水中との間を連結する給水管と、
前記給水管から水を前記水槽へとくみ上げる、電力により作動する給水ポンプと、
前記給水ポンプの動作を制御する制御装置とを有し、
前記制御装置は、給水ポンプに関し２以上駆動時間パタンの選択が可能に構成され、選択された駆動時間パタンに応じて前記給水ポンプを駆動させる
釣り用魚介保存水槽用アダプター。
【請求項５】
前記釣り用魚介保存水槽用アダプターにおいて、さらに、前記水槽から水面へ水を排水する排水管を有する請求項４に記載の釣り用魚介保存水槽用アダプター。
【考案の詳細な説明】
【技術分野】
【０００１】
本考案は釣りに使用する、捕獲した魚類や釣りのための生餌を保存するための水槽に関する。
【背景技術】
【０００２】
釣りにおいて、釣った魚の鮮度や、生餌の活性を維持することは大変重要である。このためには、本来生息している海水や淡水と同じ環境で保存することが最も望ましい。釣り場でこのような環境を実現するために、下記特許文献１には給水管により釣りをする水中と水槽とを連結し、ポンプにより水槽に水を供給することで、水槽内に本来生息している海水や淡水と同じ環境を実現する技術が示されている。
【特許文献１】実開昭５８−９６７７４号公報
【考案の開示】
【考案が解決しようとする課題】
【０００３】
ところで、上記特許文献１に記載の発明は、手動のポンプにより水をくみ上げるので、その間は釣りに専念することができない。これを解決するためには電動ポンプにより自動的に給水をすればよいと考えられる。しかし、給水のためのポンプを作動させるには多くの電力が必要であり、常にポンプを作動させることは望ましくない。一方、水槽内の魚や生餌の量も一定ではないために、これに合わせて給水量を変化させることで電動ポンプの使用電力を適切なものにすることができると考えられる。
以上のことから、本考案は、釣りをする水中から電動ポンプにより水を供給する水槽において、水槽の状態に応じて給水量を変化できるようにし電動ポンプの使用電力を節約することを課題とする。
【課題を解決するための手段】
【０００４】
上記課題を解決するために、本考案は次のような構成を有する。
請求項１に記載の考案は、水槽と、この水槽と釣りをする水中との間を連結する給水管と、前記給水管から水を水槽へとくみ上げる、電力により作動する給水ポンプと、前記給水ポンプの動作を制御する制御装置とを有し、前記制御装置は、給水ポンプに関し２以上の駆動時間パタンの選択が可能に構成され、選択された駆動時間パタンに応じて前記給水ポンプを駆動させる釣り用魚介保存水槽である。
請求項２に記載の考案は、前記釣り用魚介保存水槽において、さらに、前記水槽から水面へ水を排水する排水管を有するものである。
請求項３に記載の考案は、前記釣り用魚介保存水槽において、さらに、前記水槽と大気中とを連結する空気供給管と、前記空気供給管に空気を送り込むエアポンプとを有するものである。
請求項４に記載の考案は、任意の水槽に対して外部の水を供給する釣り用魚介保存水槽用アダプターであり、任意の水槽と釣りをする水中との間を連結する給水管と、前記給水管から水を前記水槽へとくみ上げる、電力により作動する給水ポンプと、前記給水ポンプの動作を制御する制御装置とを有し、前記制御装置は、給水ポンプに関し２以上の駆動時間パタンの選択が可能に構成され、選択された駆動時間パタンに応じて前記給水ポンプを駆動させるものである。
請求項５に記載の考案は、前記釣り用魚介保存水槽用アダプターにおいて、さらに、  前記水槽から水面へ水を排水する排水管を有するものである。
【考案の効果】
【０００５】
請求項１に記載の考案は、電動の給水ポンプからの水槽への水の供給時間が、複数の駆動時間パタンから選択できるので、水槽に入っている魚介の量に応じて、電力消費量がより適切になるように給水ポンプの駆動時間を選択することができる。
請求項２に記載の考案は、排水管により給水中に水槽から水があふれることを防ぐことができる。
請求項３に記載の考案は、水槽にエアポンプにより空気を供給することで給水ポンプが作動していない間においても水槽中の酸素濃度を保ち、水槽中の魚介の活性を維持することができる。また、エアポンプを電動にする場合、エアポンプの方が給水ポンプよりも電力消費が小さくで済むので、エアポンプである程度水槽中の魚介の活性を維持することで給水ポンプの駆動時間を小さくし、全体の電力消費量を抑えることができる。
請求項４に記載の考案は、任意の水槽に対して、外部からの水を供給することで釣り用魚介保存水槽を実現でき、さらに、電動の給水ポンプからの水槽への水の供給時間が、複数の駆動時間パタンから選択にできるので、水槽に入っている魚介の量に応じて、電力消費量がより適切になるように給水ポンプの駆動時間を選択することができる。
請求項５に記載の考案は、やはり、排水管により給水中に水槽から水があふれることを防ぐことができる。
【考案を実施するための最良の形態】
【０００６】
以下、本考案の実施形態について、図を参照しながら説明する。
（実施形態１）
図１に第１の実施形態に係る釣り用魚介保存水槽Ｘの斜視図を示す。本釣り用魚介保存水槽Ｘは水槽１０、給水管２０、給水ポンプ３０、排水管４０、制御装置５０、エアレーション装置６０とから構成される。
水槽１０は合成樹脂性の直方体形状の４０ｌの容量を有する箱体であり、上方の開放した水槽本体１１と水槽本体１１の開放した上面に嵌合する蓋１２とからなる。図２に釣り用魚介保存水槽Ｘの水槽１０近傍の拡大左側面図を示す。図３に釣り用魚介保存水槽Ｘの蓋１２を取った状態の水槽１０近傍の拡大平面図を示す。水槽本体１１の左側面上方には、開放した穴が空けられ、ここから上方に向って屈曲したパイプであるオーバーフローパイプ１１ａが設けられている。また水槽本体１１内部には生餌用のステンレス製の籠１１ｂが設けられている。
給水管２０は水槽１０と釣りをする水中とを連結する管体であり、水槽本体１１の左側面の上方に設けられる穴から突出する合成樹脂性の硬質なパイプにより形成される固定部２２と、固定部の先端から設けられる合成樹脂性の蛇腹を形成する柔軟なパイプにより形成される軟質部２１と水槽本体１１内部に設けられる散水部２３とから構成される。散水部２３は水平に延びる先端が封止された水槽本体１１のほぼ横幅にわたる長さを有するパイプであり、側面に複数の散水口２３ａが等間隔に複数設けられている。
【０００７】
給水ポンプ３０は電動により駆動し、前記給水管２０を通じて水槽本体１１内に水を供給するものである。給水ポンプ３０はポンプ本体３１、電源を供給するバッテリーボックス３２、バッテリーボックス３２とポンプ本体３１を繋ぐ電流を流すための電線３３とから構成される。ポンプ本体３１はここでは２０ｌ／minの排水能力を有するビルジポンプを使用しており、ビルジポンプの排水部と前記給水管２０の軟質部２１の先端部とが連結されている。バッテリーボックス３２は乾電池を封入する合成樹脂性の箱体であり、図示しない電源スイッチが設けられている。また、バッテリーボックス３２は外部電源と接続するための接続端子を有しており、外部電源への切り替えができるようになっている。なお、バッテリーボックス３２はエアレーション装置６０にも電力を供給している。電線３３はビニール被覆がされた銅線であり、給水管２０の硬質部２２および軟質部２１の側面に沿って固定されている。
排水管４０は水槽１０と釣りをする水面上方の空間とを連結する管体であり、２本設けられている。図４に釣り用魚介保存水槽Ｘの水槽１０近傍の右側面図を示す。それぞれの排水管４０は、水槽本体１１の右側面の上方に設けられる穴から突出する合成樹脂性の硬質なパイプにより形成される固定部４２と、固定部４２の先端から設けられる合成樹脂性の蛇腹を形成する柔軟なパイプにより形成される軟質部４１とから構成される。硬質部４２の基端は水槽本体１１内部に突出し上方に屈曲している。図４に示すように排水管４０は水槽本体１１に対する取り付け高さが異なっているが、これは、通常は低い方の排水管から排水をし、この排水管が詰まる等の問題が生じた際に、オーバーフローした水を高い方の排水管により排出するためである。これにより、水槽本体１１に蓋１２をしていても給水ポンプ３１に過大な負荷がかからないようになっている。
【０００８】
エアレーション装置６０は水槽本体１１内に空気を供給する装置であり、エアポンプ６１、空気供給管６２、エアレーションストーン６３とから構成される。エアポンプ６１は電力により空気を供給するポンプであり水槽本体１１の左側面に固定されている。エアポンプ６１はバッテリーボックス３２からの電力により駆動する。空気供給管６２は合成樹脂性の硬質な管体であり、エアポンプの空気排出口と水槽本体１１の内部下方とを連結している。空気供給管６２は水槽本体１１の側面に設けられる換気パイプ１１ａを通して水槽本体１１内部に連通している。エアレーションストーン６３は空気供給管６２の先端の設けられ、供給される空気を細かくし水中に溶けやすくする。
制御装置５０は、給水ポンプ３１およびエアポンプ６１の動作を制御するものである。図５に制御装置５０の構成を模式的に示すブロック図を示す。制御装置５０はマイコンであり、情報処理を行うＣＰＵ２０１、ＣＰＵ２０１の作業領域となるＲＡＭ２０２、プログラム等を記憶するＲＯＭ２０３、外部装置と連結するためのインターフェース２０４が含まれ、インターフェース２０４の入力部にモード切替スイッチ５０ａが接続されている。制御装置５０は、ここでは、給水ポンプ３１に対して３つの駆動時間パタンが設定さている。第１モードは、２分駆動、１０分停止を１単位としてこれを繰り返すものであり、第２モードは２分駆動、２０分停止を１単位としてこれを繰り返すものであり、第３モードを２分駆動、３０分停止を１単位としてこれを繰り返すものである。モード切替スイッチ５０ａは３つの選択ボタンが設けられそれぞれが駆動時間パタンを示すモードに対応している。なお、制御装置５０は、給水ポンプ３１が駆動している間はエアポンプ６１の駆動を停止し、給水ポンプ３１が駆動を始めてから一定時間経過後にエアポンプ６１の駆動を開始するように設定されている。
【０００９】
次に、以上のような構成を有する釣り用魚介保存水槽Ｘの使用方法について説明する。図６に釣り用魚介保存水槽Ｘの使用状態を表す斜視図を示す。使用者は釣り場に到着すると釣り用魚介保存水槽Ｘを適当な場所の設置し、給水ポンプ３１を釣りをする水中へ投げ入れ、また、排水管の先端を水面側へ垂らす。次に、外部電源を利用する場合は、外部電源とバッテリーボックスの端子を接続し、電池を利用する場合はそのままの状態で、電源スイッチを入れる。次に、制御装置５０のモード選択スイッチ５０ａから一つのボタンを選択して押下する。これにより、制御装置５０は選択されたモードに従った制御を開始する。例えば、ここで、第３モードが選択された場合は、制御装置５０は給水ポンプ３１を２分間駆動し水中から給水管２０を介して、空の水槽本体１１内に水を供給する。２分の駆動で水槽本体１１内は水で満たされる。この状態で使用者は水槽本体１１内の籠１１ｂに生餌を入れる。その後、制御装置５０は給水ポンプの駆動を止め、一定時間経過後にエアポンプ６１を駆動させる。そして、３０分が経過するとエアポンプ６１を止め、再び制御装置５０は給水ポンプ３１の駆動を開始する。これにより、水槽本体１１内の水位が上昇するが、排水管４０の水槽本体１１内の開口部を超える高さに至ると水槽本体１１内の水は排水管４０を介して水中へ排出される。その後、制御装置５０は、２分間、給水ポンプ３１を駆動した後に、再び３０分間給水ポンプを停止させる。以下、同様の動作を繰り返していく。なお、途中で魚が釣れた場合には水槽本体１１内に釣れた魚を入れていき、水槽本体１１内の魚の数に応じて制御装置５０のモードスイッチを切り替えていくことで、適切な電力量で魚を活きのよい状態に維持することができる。
【００１０】
（実施形態２）
図７に第２の実施形態に係る釣り用魚介保存水槽用アダプタＹの斜視図を示す。本釣り用魚介保存水槽用アダプタＹは本体板１１０、給水管１２０、給水ポンプ１３０、制御装置１５０、エアレーション装置１６０とから構成される。
本体板１１０はステンレス製の板体であり、上縁が折り曲げられることによりフック部１１０ａが形成されている。
給水管１２０は、実施形態１に係る給水管１２０とほぼ同じであるが、固定部１２２が本体板１１０に固定され、散水部１２３が本体板１１０の上方を本体板１１０のフック部１１０ａの方向に本体板１１０に対して垂直に設けられる点が相違する。
給水ポンプ１３０も実施形態１に係る給水ポンプ３０とほぼ同じであるが、バッテリーボックス１３２が本体板１１０に固定されている点のみ相違する。
エアレーション装置１６０もほぼ実施形態１にかかるエアレーション装置１６０と同じであるが、エアポンプ１６１が本体板１１０に固定されている点、空気供給管１６２が本体板１１０の上方を跨いで裏面に至っている点のみが相違する。
制御装置１５０も  実施形態１に係る制御装置５０とほぼ同様であり、本体板１１０に設けられている点のみ相違する。
【００１１】
次に、以上のような構成を有する釣り用魚介保存水槽用アダプターＹの使用方法について説明する。図８に釣り用魚介保存水槽用アダプターＹの使用状態を表す斜視図を示す。釣り用魚介保存水槽用アダプターＹは適当な水槽Ｔの縁部に引っ掛けて固定することで、水槽Ｔを本発明に係る釣り用魚介保存水槽とすることができる。まず、使用者は水槽Ｔの縁部に本体板１１０のフック１１０ａを引っ掛けて釣り用魚介保存水槽用アダプターＹを水槽Ｔに固定する。その後、水槽Ｔの上面には魚が跳ねだすことを防止するネットＴａを設けることが望ましい。そして、実施形態１に係る釣り用魚介保存水槽用と同様に、給水ポンプ１３１を釣りをする水中へ投げ入れ、電源を入れ、制御装置１５０のモード選択スイッチ１５０ａの一つのボタンを押下することで、実施形態１に係る釣り用魚介保存水槽と同様の使用をすることができる。なお、釣り用魚介保存水槽用アダプターＹでは排水管が設けられておらず、排水は水槽Ｔの外縁からあふれて排出されることになるが、野外での使用であるので多くの場合支障はない。また、釣り用魚介保存水槽用アダプターＹにサイフォンの原理を利用した排水管を設けるようにすることもできる。
【００１２】
なお、上記実施の形態における水槽の容量や制御装置の駆動時間パタンは適宜変更可能である。また制御装置において、手動運転を可能にしたり、駆動時間を可変にしてもよい。さらに、制御装置において、給水ポンプに対する緊急停止ボタンを設けるとともに、給水ポンプの過電流を感知するようにして、これに対して警告音や警告ランプなどを発するようにしてもよい。また、エアポンプに対する制御も種々の変更が可能である。
また、上記実施形態１では排水管４０は水槽本体１０の上方をオーバーフローしたものを排水するようにしているが、水槽本体１０の下方内部に排水管の開口を設けるとともに、この開口に電磁弁を設け、制御装置によりこの電磁弁を給水中は開き、給水を停止した場合には電磁弁を閉じるように制御するようにもできる。
【図面の簡単な説明】
【００１３】
【図１】実施形態１に係る釣り用魚介保存水槽の斜視図である。
【図２】実施形態１に係る釣り用魚介保存水槽の水槽近傍の拡大左側面図である。
【図３】実施形態１に係る釣り用魚介保存水槽の蓋を取った状態のの水槽近傍の拡大平面図である。
【図４】実施形態１に係る釣り用魚介保存水槽のの水槽近傍の拡大右側面図である。
【図５】制御装置の構成を模式的に示すブロック図である。
【図６】実施形態1に係る釣り用魚介保存水槽の使用状態を表す斜視図である。
【図７】実施形態２に係る釣り用魚介保存水槽用アダプタの斜視図である。
【図８】実施形態２に係る釣り用魚介保存水槽用アダプターＹの使用状態を示す斜視図である。
【符号の説明】
【００１４】
Ｘ  釣り用魚介保存水槽用
Ｙ  釣り用魚介保存水槽用アダプター
１０  水槽
２０  給水管
３０  給水ポンプ
４０  排水管
５０  制御装置
６０  エアレーション装置
【図１】
0003111519.tif 000003
【図２】
0003111519.tif 000004
【図３】
0003111519.tif 000005
【図４】
0003111519.tif 000006
【図５】
0003111519.tif 000007
【図６】
0003111519.tif 000008
【図７】
0003111519.tif 000009
【図８】
0003111519.tif 000010